(57)【要約】所定の周期で伝送装置３０，３１，３２に性能情報の取得要求を送信して性能情報を収集するＮＥ−Ａ性能情報収集部１１２、ＮＥ−Ｂ性能情報収集部１１３、ＮＥ−Ｃ性能情報収集部１１４と、収集した性能情報を格納する性能情報保管部１１５と、ＯＳ−Ａ２０の性能情報収集の負荷が高い場合に、監視ネットワーク５０に接続された上位ＯＳ１０から、性能情報収集の負荷が低いＯＳ−Ｂ２１の情報を取得し、ＮＥ−Ｃ性能情報収集部１１４を、ＯＳ−Ｂ２１に移動させる性能情報収集機能管理部とを備えたオペレーションズシステム（ＯＳ−Ａ２０）。
2002061584.tif 000002
【特許請求の範囲】
【請求項１】
監視ネットワークに接続された複数の伝送装置の性能情報を収集するオペレーションズシステムにおいて、
所定の周期で上記各伝送装置に性能情報の取得要求を送信して性能情報を収集する上記各伝送装置対応の性能情報収集部と、
上記各伝送装置対応の性能情報収集部により収集された性能情報を格納する性能情報保管部と、
当該オペレーションズシステムの性能情報収集の負荷が高い場合に、監視ネットワークに接続された上位オペレーションズシステムから、性能情報収集の負荷が低い他のオペレーションズシステムの情報を取得し、上記各伝送装置対応の性能情報収集部の一部を、他のオペレーションズシステムに移動させる性能情報収集機能管理部とを
備えたことを特徴とするオペレーションズシステム。
【請求項２】
性能情報保管部が収容するディスクのディスク容量を監視し、ディスク容量が少なくなった場合に、当該オペレーションズシステムの性能情報収集の負荷が高いことを検知するディスク容量監視部を
備えたことを特徴とする請求の範囲第１項記載のオペレーションズシステム。
【請求項３】
当該オペレーションズシステムが搭載するＣＰＵの負荷を監視し、上記ＣＰＵの負荷が高くなった場合に、上記当該オペレーションズシステムの性能情報収集の負荷が高いことを検知するＣＰＵ負荷監視部を
備えたことを特徴とする請求の範囲第１項記載のオペレーションズシステム。
【請求項４】
各伝送装値対応の性能情報収集部が所定の周期で各伝送装置に性能情報の取得要求を送信するかを監視し、所定の周期で各伝送装置に性能情報の取得要求を送信しない場合に、当該オペレーションズシステムの性能情報収集の負荷が高いことを検知する読み出し監視部を
備えたことを特徴とする請求の範囲第１項記載のオペレーションズシステム。
【請求項５】
監視ネットワークに接続された複数の伝送装置の性能情報を収集する複数のオペレーションズシステムから、収集された性能情報を収集する上位オペレーションズシステムにおいて、
所定の周期で上記各オペレーションズシステムに性能情報の取得要求を送信して性能情報を収集する性能情報収集部と、
上記性能情報収集部により収集された性能情報を格納する性能情報保管部と、
上記各オペレーションズシステムのＩＰ（Ｉｎｔｅｒｎｅｔ  Ｐｒｏｔｏｃｏｌ）アドレスと上記各オペレーションズシステムが現在性能情報を収集している伝送装置のＩＰアドレスとの対応データを格納するオペレーションズシステム−伝送装置対応データ格納部とを
備えたことを特徴とする上位オペレーションズシステム。
【請求項６】
監視ネットワークに接続された複数のオペレーションズシステムのうちの１つのオペレーションズシステムから所定周期毎の性能情報の取得要求を受信し、性能情報を収集して送信する伝送装置において、
性能情報を収集する性能情報収集部と、
上記複数のオペレーションズシステムのＩＰアドレスを格納するアドレス格納部とを備え、
性能情報の取得要求を行っている当該オペレーションズシステムの性能情報収集の負荷が高い場合に、上記アドレス格納部に格納されている他のオペレーションズシステムのＩＰアドレスを読み出し、上記他のオペレーションズシステムに、上記当該オペレーションズシステムの負荷が高いことを通知し、上記他のオペレーションズシステムから性能情報の取得要求を受信する
ことを特徴とする伝送装置。
【請求項７】
当該オペレーションズシステムから所定の周期で性能情報の取得要求を受信するかを監視し、所定の周期で性能情報の取得要求を受信しない場合に、当該オペレーションズシステムの性能情報収集の負荷が高いことを検知する読み出し監視部を
備えたことを特徴とする請求の範囲第６項記載の伝送装置。
【請求項８】
搭載しているディスクのディスク容量を監視し、ディスク容量が少なくなった場合に、当該オペレーションズシステムの性能情報収集の負荷が高いことを検知するディスク容量監視部を
備えたことを特徴とする請求の範囲第６項記載の伝送装置。
【発明の詳細な説明】
技術分野
この発明は監視用ネットワークに接続された伝送装置の性能情報を収集するオペレーションズシステム、オペレーションズシステムにより収集された性能情報を収集する上位オペレーションズシステム、及びオペレーションズシステムに性能情報を送信する伝送装置に関するものである。
背景技術
ネットワーク管理の普及に伴い、一台の伝送装置（ＮＥ：ネットワークエレメント）を監視する装置から、複数の伝送装置を遠隔から監視するＯＳ（ネットワーク管理装置：オペレーションズシステム）に移行しつつある。また、複数のＯＳを監視する上位ＯＳという３層構造の監視システムも提案されつつある。
第１図は従来のオペレーションズシステム、上位オペレーションズシステム及び伝送装置の構成を示すブロック図である。図において、１０はＯＳ２０により収集された伝送装置３０，３１，３２の性能情報を収集する上位ＯＳで、２０は伝送装置３０，３１，３２の性能情報を収集する複数のＯＳで、３０，３１，３２は、それぞれの間でデータの伝送を行う伝送装置（ＮＥ−Ａ）、伝送装置（ＮＥ−Ｂ）、伝送装置（ＮＥ−Ｃ）で、５０は上位ＯＳ１０、複数のＯＳ２０、複数の伝送装置３０，３１，３２を接続しているＬＡＮ等の監視ネットワークである。
第１図の上位ＯＳ１０において、１０１は情報の通信処理を行う通信処理部で、１０２はＯＳ２０により収集された性能情報を収集する性能情報収集部で、１０３は性能情報収集部１０２により収集された性能情報を格納する性能情報保管部である。
また、第１図のＯＳ２０において、１１１は情報の通信処理を行う通信処理部で、１１２は伝送装置（ＮＥ−Ａ）３０からの性能情報を収集するＮＥ−Ａ性能情報収集部で、１１３は伝送装置（ＮＥ−Ｂ）３１からの性能情報を収集するＮＥ−Ｂ性能情報収集部で、１１４は伝送装置（ＮＥ−Ｃ）３２からの性能情報を収集するＮＥ−Ｃ性能情報収集部であり、１１５は、ＮＥ−Ａ性能情報収集部１１２、ＮＥ−Ｂ性能情報収集部１１３、ＮＥ−Ｃ性能情報収集部１１４によりそれぞれ収集された性能情報を格納する性能情報保管部である。
さらに、第１図の伝送装置３０において、１３１は情報の通信処理を行う通信処理部で、１３２はデータのトラフィック量等の性能情報を収集する性能情報収集部であり、伝送装置３１，３２も伝送装置３０と同様に構成されている。
次に動作について説明する。
第２図は従来のオペレーションズシステム、上位オペレーションズシステム及び伝送装置の処理を示すシーケンス図である。ステップＳＴ１、ステップＳＴ２、ステップＳＴ３において、伝送装置３０，３１，３２の性能情報収集部１３２は、各伝送装置３０，３１，３２におけるデータのトラフィック量等の性能情報を同時刻に収集し、通信処理部１３１を使用して、収集した性能情報をＯＳ２０に一斉に送信する。ステップＳＴ４において、ＯＳ２０の通信処理部１１１は、伝送装置３０，３１，３２からの性能情報を受信し、ＮＥ−Ａ性能情報収集部１１２、ＮＥ−Ｂ性能情報収集部１１３、ＮＥ−Ｃ性能情報収集部１１４が、各性能情報を解読して性能情報保管部１１５に格納する。
ステップＳＴ５において、上位ＯＳ１０の性能情報収集部１０２が通信処理部１０１を使用して、ＯＳ２０内にある性能情報の取得要求を送信する。ステップＳＴ６において、ＯＳ２０は性能情報保管部１１５に格納されている性能情報を、通信処理部１１１を使用して上位ＯＳ１０に送信する。ステップＳＴ７において、上位ＯＳ１０の性能情報収集部１０２はＯＳ２０から受信した性能情報を性能情報保管部１０３に格納する。
上記ステップＳＴ１からステップＳＴ７までの処理は、所定の周期毎に繰り返される。
性能情報は各伝送装置３０，３１，３２が収容する伝送路毎に収集されるため、各伝送装置３０，３１，３２間の通信の伝送路が増えると、性能情報の収集個所が増えるので、ＯＳ２０と各伝送装置３０，３１，３２間の監視用ネットワーク５０における性能情報のデータ量が増えることになる。また、ＯＳ２０が収容する伝送装置の台数が増えても、性能情報のデータ量が増えることになる。
従来のオペレーションズシステム（ＯＳ２０）、上位オペレーションズシステム（上位ＯＳ１０）及び伝送装置３０，３１，３２は、以上のように構成されているので、所定周期毎に複数の伝送装置３０，３１，３２からＯＳ２０に性能情報が一斉に送信されると、ＯＳ２０の負荷が高くなったり、監視用ネットワーク５０の負荷が高くなるという課題があった。
この発明は上記のような課題を解決するためになされたもので、ＯＳ２０の負荷を減らすことができると共に、監視用ネットワーク５０の負荷を減らすことができるオペレーションズシステム、上位オペレーションズシステム及び伝送装置を得ることを目的とする。
発明の開示
この発明に係るオペレーションズシステムは、監視ネットワークに接続された複数の伝送装置の性能情報を収集するものにおいて、所定の周期で上記各伝送装置に性能情報の取得要求を送信して性能情報を収集する上記各伝送装置対応の性能情報収集部と、上記各伝送装置対応の性能情報収集部により収集された性能情報を格納する性能情報保管部と、当該オペレーションズシステムの性能情報収集の負荷が高い場合に、監視ネットワークに接続された上位オペレーションズシステムから、性能情報収集の負荷が低い他のオペレーションズシステムの情報を取得し、上記各伝送装置対応の性能情報収集部の一部を、他のオペレーションズシステムに移動させる性能情報収集機能管理部とを備えたものである。
このことにより、オペレーションズシステム及び監視用ネットワークの負荷を減らすことができるという効果がある。
この発明に係るオペレーションズシステムは、性能情報保管部が収容するディスクのディスク容量を監視し、ディスク容量が少なくなった場合に、当該オペレーションズシステムの性能情報収集の負荷が高いことを検知するディスク容量監視部を備えたものである。
このことにより、オペレーションズシステム及び監視用ネットワークの負荷を減らすことができるという効果がある。
この発明に係るオペレーションズシステムは、当該オペレーションズシステムが搭載するＣＰＵの負荷を監視し、上記ＣＰＵの負荷が高くなった場合に、上記当該オペレーションズシステムの性能情報収集の負荷が高いことを検知するＣＰＵ負荷監視部を備えたものである。
このことにより、オペレーションズシステム及び監視用ネットワークの負荷を減らすことができるという効果がある。
この発明に係るオペレーションズシステムは、各伝送装置対応の性能情報収集部が所定の周期で各伝送装置に性能情報の取得要求を送信するかを監視し、所定の周期で各伝送装置に性能情報の取得要求を送信しない場合に、当該オペレーションズシステムの性能情報収集の負荷が高いことを検知する読み出し監視部を備えたものである。
このことにより、オペレーションズシステム及び監視用ネットワークの負荷を減らすことができるという効果がある。
この発明に係る上位オペレーションズシステムは、監視ネットワークに接続された複数の伝送装置の性能情報を収集する複数のオペレーションズシステムから、収集された性能情報を収集するものにおいて、所定の周期で上記各オペレーションズシステムに性能情報の取得要求を送信して性能情報を収集する性能情報収集部と、上記性能情報収集部により収集された性能情報を格納する性能情報保管部と、上記各オペレーションズシステムのＩＰアドレスと上記各オペレーションズシステムが現在性能情報を収集している伝送装置のＩＰアドレスとの対応データを格納するオペレーションズシステム−伝送装置対応データ格納部とを備えたものである。
このことにより、オペレーションズシステム及び監視用ネットワークの負荷を減らすことができるという効果がある。
この発明に係る伝送装置は、監視ネットワークに接続された複数のオペレーションズシステムのうちの１つのオペレーションズシステムから所定周期毎の性能情報の取得要求を受信し、性能情報を収集して送信するものにおいて、性能情報を収集する性能情報収集部と、上記複数のオペレーションズシステムのＩＰアドレスを格納するアドレス格納部とを備え、性能情報の取得要求を行っている当該オペレーションズシステムの性能情報収集の負荷が高い場合に、上記アドレス格納部に格納されている他のオペレーションズシステムのＩＰアドレスを読み出し、上記他のオペレーションズシステムに、上記当該オペレーションズシステムの負荷が高いことを通知し、上記他のオペレーションズシステムから性能情報の取得要求を受信するものである。
このことにより、オペレーションズシステム及び監視用ネットワークの負荷を減らすことができると共に、オペレーションズシステムの故障にも対応できるという効果がある。
この発明に係る伝送装置は、当該オペレーションズシステムから所定の周期で性能情報の取得要求を受信するかを監視し、所定の周期で性能情報の取得要求を受信しない場合に、当該オペレーションズシステムの性能情報収集の負荷が高いことを検知する読み出し監視部を備えたものである。
このことにより、オペレーションズシステム及び監視用ネットワークの負荷を減らすことができると共に、オペレーションズシステムの故障にも対応できるという効果がある。
この発明に係る伝送装置は、搭載しているディスクのディスク容量を監視し、ディスク容量が少なくなった場合に、当該オペレーションズシステムの性能情報収集の負荷が高いことを検知するディスク容量監視部を備えたものである。
このことにより、オペレーションズシステム及び監視用ネットワークの負荷を減らすことができると共に、オペレーションズシステムの故障にも対応できるという効果がある。
発明を実施するための最良の形態
以下、この発明をより詳細に説明するために、この発明を実施するための最良の形態について、添付の図面に従って説明する。
実施の形態１．
第３図はこの発明の実施の形態１によるオペレーションズシステム、上位オペレーションズシステム及び伝送装置の構成を示すブロック図である。図において、１０はＯＳ−Ａ２０及びＯＳ−Ｂ２１により収集された伝送装置３０，３１，３２の性能情報を収集する上位ＯＳ（上位オペレーションズシステム）で、２０は伝送装置３０，３１，３２の性能情報を収集するＯＳ−Ａ（オペレーションズシステム）で、２１は伝送装置３０，３１，３２の性能情報を収集するＯＳ−Ｂ（オペレーションズシステム）であり、伝送装置（ＮＥ−Ａ）３０、伝送装置（ＮＥ−Ｂ）３１、伝送装置（ＮＥ−Ｃ）３２は、従来の第１図に示すものと同等である。ここで、ＯＳ及び伝送装置は複数存在しても良い。
上位ＯＳ１０、ＯＳ−Ａ２０、ＯＳ−Ｂ２１、伝送装置３０，３１，３２は、ＬＡＮ等の監視ネットワーク５０により接続されている。
第３図の上位ＯＳ１０において、１０４はＯＳ−Ａ２０、ＯＳ−Ｂ２１のＩＰ（Ｉｎｔｅｒｎｅｔ  Ｐｒｏｔｏｃｏｌ）アドレスと各ＯＳ−Ａ２０、ＯＳ−Ｂ２１が現在性能情報を収集している伝送装置３０，３１，３２のＩＰアドレスとの対応データを更新して格納しているＯＳ−ＮＥ対応データ格納部（オペレーションズシステム−伝送装置対応データ格納部）であり、通信処理部１０１、性能情報収集部１０２、性能情報保管部１０３は、従来の第１図に示すものと同等である。
また、第３図のＯＳ−Ａ２０において、１１６は、各伝送装置３０，３１，３２から性能情報を収集する性能情報収集部を生成したり削除することにより、性能情報収集機能を移動させる性能情報収集機能管理部で、１１７は性能情報保管部１１５が収容するディスクのディスク容量を監視するディスク容量監視部であり、通信処理部１１１、ＮＥ−Ａ性能情報収集部１１２（各伝送装置対応の性能情報収集部）、ＮＥ−Ｂ性能情報収集部１１３（各伝送装置対応の性能情報収集部）、ＮＥ−Ｃ性能情報収集部１１４（各伝送装置対応の性能情報収集部）、性能情報保管部１１５は、従来の第１図に示すものと同等である。
さらに、第３図のＯＳ−Ｂ２１は、ＯＳ−Ａ２０と比較して、ＮＥ−Ａ性能情報収集部１１２とＮＥ−Ｂ性能情報収集部１１３がなく、ＮＥ−Ｃ性能情報収集部１１４がある以外は、ＯＳ−Ａ２０と同じ構成である。
上記のＯＳ−Ａ２０及びＯＳ−Ｂ２１の構成は動作後の状態であり、最初はＯＳ−Ａ２０にＮＥ−Ｃ性能情報収集部１１４があるが、動作実施後にＮＥ−Ｃ性能情報収集部１１４がＯＳ−Ｂ２１に移動したものである。
さらに、第３図の伝送装置３０において、通信処理部１３１、性能情報収集部１３２は、従来の第１図に示すものと同等であり、伝送装置３１，３２も同様に構成されている。
次に動作について説明する。
第４図はこの発明の実施の形態１によるオペレーションズシステム、上位オペレーションズシステム及び伝送装置の処理を示すシーケンス図である。伝送装置３０，３１，３２間の通信の伝送路が増えてくると、ＯＳ−Ａ２０が収集する性能情報のデータ量も増える。このため、性能情報保管部１１５が収容するディスクのディスク容量が少なくなる。ディスク容量が少なくなることは、ＯＳ−Ａ２０の処理に時間がかかり負荷が高くなることを意味する。
ステップＳＴ１１において、ＯＳ−Ａ２０のディスク容量監視部１１７は、性能情報保管部１１５のディスク容量が少なくなったことを検知することにより、ＯＳ−Ａ２０の負荷が高いことを検知する。ステップＳＴ１２において、ＯＳ−Ａ２０の性能情報収集機能管理部１１６は通信処理部１１１を使用して上位ＯＳ１０に対し、現在、負荷の軽いＯＳを示す予備ＯＳ情報の取得要求を送信する。
ステップＳＴ１３において、上位ＯＳ１０はＯＳ−Ａ２０からの予備ＯＳ情報の取得要求を受信すると、性能情報収集部１０２が、ＯＳ−ＮＥ対応データ格納部１０４を参照して、現在負荷の軽いＯＳ−Ｂ２１を示す予備ＯＳ情報を取得してＯＳ−Ａ２０に送信する。ステップＳＴ１４において、ＯＳ−Ａ２０の性能情報収集機能管理部１１６は、取得した予備ＯＳ情報に基づき、ＯＳ−Ｂ２１に対し、ＮＥ−Ｃ性能情報収集部１１４をＯＳ−Ａ２０からＯＳ−Ｂ２１に移動するよう要求する性能情報収集機能の移動要求を送信する。
ステップＳＴ１５において、ＯＳ−Ｂ２１がその性能情報収集機能の移動要求を受信すると、ＯＳ−Ｂ２１の性能情報収集機能管理部１１６がＮＥ−Ｃ性能情報収集部１１４の作成を行う。ステップＳＴ１６において、ＯＳ−Ａ２０がＯＳ−Ｂ２１からのＮＥ−Ｃ性能情報収集部１１４の作成完了の応答を受信すると、ＯＳ−Ａ２０の性能情報収集機能管理部１１６は、ＯＳ−Ａ２０内にあるＮＥ−Ｃ性能情報収集部１１４を削除する。
ステップＳＴ１７において、ＯＳ−Ａ２０の性能情報収集機能管理部１１６は、ＮＥ−Ｃ性能情報収集部１１４をＯＳ−Ａ２０からＯＳ−Ｂ２１に移動したことを上位ＯＳ１０に通知する。ステップＳＴ１８において、上位ＯＳ１０の性能情報収集部１０２は、ＯＳ−ＮＥ対応データ格納部１０４に格納されているＯＳ−ＮＥ対応データを更新する。すなわち、ＯＳ−ＮＥ対応データ格納部１０４には、ＯＳ−Ｂ２１が伝送装置３２からの性能情報を収集していることを示す対応データが格納される。
性能情報の読み出し時刻になると、ステップＳＴ１９において、ＯＳ−Ａ２０のＮＥ−Ａ性能情報収集部１１２は、通信処理部１１１を使用して、伝送装置３０に性能情報の取得要求を送信する。ステップＳＴ２０において、伝送装置３０は性能情報収集部１３２を使用して性能情報を収集し、通信処理部１３１を使用して収集した性能情報を送信する。ステップＳＴ２１において、ＯＳ−Ａ２０のＮＥ−Ａ性能情報収集部１１２は、受信した伝送装置３０からの性能情報を性能情報保管部１１５に格納する。
性能情報の読み出し時刻になると、ステップＳＴ２２において、ＯＳ−Ａ２０のＮＥ−Ｂ性能情報収集部１１３は通信処理部１１１を使用して、伝送装置３１に性能情報の取得要求を送信する。ステップＳＴ２３において、伝送装置３１は性能情報収集部１３２を使用して性能情報を収集し、通信処理部１３１を使用して収集した性能情報を送信する。ステップＳＴ２４において、ＯＳ−Ａ２０のＮＥ−Ｂ性能情報収集部１１３は受信した伝送装置３１からの性能情報を性能情報保管部１１５に格納する。
性能情報の読み出し時刻になると、ステップＳＴ２５において、ＯＳ−Ｂ２１のＮＥ−Ｃ性能情報収集部１１４は通信処理部１１１を使用して、伝送装置３２に性能情報の取得要求を送信する。ステップＳＴ２６において、伝送装置３２は性能情報収集部１３２を使用して性能情報を収集し、通信処理部１３１を使用して収集した性能情報を送信する。ステップＳＴ２７において、ＯＳ−Ｂ２１のＮＥ−Ｃ性能情報収集部１１４は、受信した伝送装置３２からの性能情報を性能情報保管部１１５に格納する。
上位ＯＳ１０の読み出し時刻になると、ステップＳＴ２８において、上位ＯＳ１０の性能情報収集部１０２は通信処理部１０１を使用して、ＯＳ−Ａ２０に性能情報の取得要求を送信する。ここで、上位ＯＳ１０の読み出し周期は、ＯＳ−Ａ２０，ＯＳ−Ｂ２１の読み出し周期よりも長いものとする。ステップＳＴ２９において、ＯＳ−Ａ２０は性能情報保管部１１５に格納されている性能情報を取り出し、通信処理部１１１を使用して取り出した性能情報を送信する。ステップＳＴ３０において、上位ＯＳ１０の性能情報処理部１０２は受信したＯＳ−Ａ２０からの性能情報を性能情報保管部１０３に格納する。
読み出し時刻になると、ステップＳＴ３１において、上位ＯＳ１０の性能情報収集部１０２は通信処理部１０１を使用して、ＯＳ−Ｂ２１に性能情報の取得要求を送信する。ステップＳＴ３２において、ＯＳ−Ｂ２１は性能情報保管部１１５に格納されている性能情報を取り出し、通信処理部１１１を使用して取り出した性能情報を送信する。ステップＳＴ３３において、上位ＯＳ１０の性能情報処理部１０２は受信したＯＳ−Ｂ２１からの性能情報を性能情報保管部１０３に格納する。
以上のように、この実施の形態１によれば、伝送装置３０，３１，３２から性能情報を収集しているＯＳ−Ａ２０の負荷が高くなった場合に、負荷の軽い他のＯＳ−Ｂ２１に性能情報の収集機能の一部を移動させることにより、ＯＳ−Ａ２０の負荷を減らすことができるという効果が得られる。
また、この実施の形態１によれば、所定の周期毎に、ＯＳ−Ａ２０，ＯＳ−Ｂ２１から伝送装置３０，３１，３２に、性能情報の取得要求を送信して性能情報を収集することにより、従来のように、伝送装置３０，３１，３２が性能情報を収集して一斉にバースト的に監視用ネットワーク５０に送信することがなくなり、監視用ネットワーク５０の負荷を減らすことができるという効果が得られる。
実施の形態２．
第５図はこの発明の実施の形態２によるオペレーションズシステム、上位オペレーションズシステム及び伝送装置の構成を示すブロック図であり、実施の形態１の第３図に対し、ＯＳ−Ａ２０及びＯＳ−Ｂ２１に、搭載している各ＣＰＵの負荷を監視するＣＰＵ負荷監視部１１８を追加している。
次に動作について説明する。
実施の形態１では、ディスク容量監視部１１７により、性能情報保管部１１５のディスク容量を監視し、ディスク容量が少なくなりＯＳ−Ａ２０の負荷が高くなった場合に、性能情報収集機能の移動を行ったが、実施の形態２では、このディスク容量監視部１１７と併用又は置き換えとしてＣＰＵ負荷監視部１１８を備え、ＣＰＵ負荷監視部１１８により、ＯＳ−Ａ２０が搭載しているＣＰＵの負荷を監視し、負荷が高くなった場合に性能情報収集機能の移動を行う。
以上のように、この実施の形態２によれば、実施の形態１と同様な効果が得られる。
実施の形態３．
第６図はこの発明の実施の形態３によるオペレーションズシステム、上位オペレーションズシステム及び伝送装置の構成を示すブロック図であり、実施の形態１の第３図に対し、ＯＳ−Ａ２０及びＯＳ−Ｂ２１に、所定周期毎に、ＮＥ−Ａ性能情報収集部１１２，ＮＥ−Ｂ性能情報収集部１１３，ＮＥ−Ｃ性能情報収集部１１４が、伝送装置３０，３１，３２に性能情報の取得要求を送信しているかを監視する読み出し監視部１１９を追加している。
次に動作について説明する。
所定周期毎に、ＯＳ−Ａ２０及びＯＳ−Ｂ２１が性能情報の取得要求を送信できない場合は、ＯＳ−Ａ２０及びＯＳ−Ｂ２１の負荷が高い状態である。
実施の形態１では、ディスク容量監視部１１７により、性能情報保管部１１５のディスク容量を監視し、ディスク容量が少なくなりＯＳ−Ａ２０の負荷が高くなった場合に性能情報収集機能の移動を行ったが、実施の形態３では、このディスク容量監視部１１７と併用又は置き換えとして読み出し監視部１１９を備え、読み出し監視部１１９の監視結果により、ＯＳ−Ａ２０及びＯＳ−Ｂ２１の負荷が高くなった場合に性能情報収集機能の移動を行う。
なお、この実施の形態では、第３図に示す実施の形態１に読み出し監視部１１９を追加しているが、第５図に示す実施の形態２に読み出し監視部１１９を追加しても良い。
以上のように、この実施の形態３によれば、実施の形態１と同様な効果が得られる。
実施の形態４．
第７図はこの発明の実施の形態４によるオペレーションズシステム、上位オペレーションズシステム及び伝送装置の構成を示すブロック図である。図において、１０は上位ＯＳで、２０はＯＳ−Ａで、２１はＯＳ−Ｂで、３０，３１，３２は伝送装置（ＮＥ−Ａ）、伝送装置（ＮＥ−Ｂ）、伝送装置（ＮＥ−Ｃ）である。ＯＳ及び伝送装置は複数存在しても良い。
上位ＯＳ１０、ＯＳ−Ａ２０、ＯＳ−Ｂ２１、伝送装置３０，３１，３２は、ＬＡＮ等の監視ネットワーク５０により接続されている。
第７図の上位ＯＳ１０において、通信処理部１０１、性能情報収集部１０２、性能情報保管部１０３は、実施の形態１の第３図に示すものと同等であり、実施の形態１のＯＳ−ＮＥ対応データ格納部１０４は削除されている。
第７図のＯＳ−Ａ２０において、通信処理部１１１、ＮＥ−Ａ性能情報収集部１１２、ＮＥ−Ｂ性能情報収集部１１３、性能情報保管部１１５、性能情報収集機能管理部１１６は、実施の形態１の第３図に示すものと同等であり、実施の形態１のディスク容量監視部１１７は削除されている。
また、第７図のＯＳ−Ｂ２１において、通信処理部１１１、性能情報保管部１１５、性能情報収集機能管理部１１６は、実施の形態１の第３図に示すものと同等であり、実施の形態１のＮＥ−Ｃ性能情報収集部１１４とディスク容量監視部１１７が削除され、ＮＥ−Ａ性能情報収集部１１２が追加されている。なお、ＯＳ−Ｂ２１の構成は動作後の状態であり、最初はＮＥ−Ａ性能情報収集部１１２がなく、動作後に追加されるものである。
さらに、第７図の伝送装置３０，３１，３２において、１３３はＯＳ−Ａ２０及びＯＳ−Ｂ２１のＩＰアドレスを格納しているアドレス格納部で、１３４は、所定の周期でＯＳ−Ａ２０又はＯＳ−Ｂ２１からの性能情報の取得要求を受信しているかを監視する読み出し監視部であり、通信処理部１３１、性能情報収集部１３２は、実施の形態１の第３図に示すものと同等である。
次に動作について説明する。
第８図はこの発明の実施の形態４によるオペレーションズシステム、上位オペレーションズシステム及び伝送装置の処理を示すシーケンス図である。ステップＳＴ４１において、伝送装置３０の読み出し監視部１３４は、所定の周期でＯＳ−Ａ２０からの性能情報の取得要求を受信せず、読み出し時刻が過ぎたときは、ＯＳ−Ａ２０の負荷が高いか、ＯＳ−Ａ２０が故障中であると判断する。
ステップＳＴ４２において、伝送装置３０の読み出し監視部１３４はアドレス格納部１３３から、ＯＳ−Ａ２０以外の予備ＯＳ、ここでは、ＯＳ−Ｂ２１のＩＰアドレスを読み出し、通信処理部１３１を使用して予備ＯＳであるＯＳ−Ｂ２１に、所定の周期でＯＳ−Ａ２０からの性能情報の取得要求がないことを通知する。
ステップＳＴ４３において、ＯＳ−Ｂ２１はその通知を受信すると、性能情報収集機能管理部１１６がＮＥ−Ａ性能情報収集部１１２を生成する。ステップＳＴ４４において、ＯＳ−Ｂ２１のＮＥ−Ａ性能情報収集部１１２は、通信処理部１１１を使用して、伝送装置３０に性能情報の取得要求を送信する。ステップＳＴ４５において、伝送装置３０の性能情報収集部１３２が性能情報を収集し、通信処理部１３１を使用して収集した性能情報を送信する。ステップＳＴ４６において、ＯＳ−Ｂ２１が受信した性能情報を性能情報保管部１１５に格納する。
ステップＳＴ４７において、ＯＳ−Ｂ２１が上位ＯＳ１０に伝送装置３０の性能情報を格納したことを通知する。ステップＳＴ４８において、上位ＯＳ１０がその通知を受信すると、性能情報収集部１０２は通信処理部１０１を使用して、ＯＳ−Ｂ２１に性能情報の取得要求を送信する。ステップＳＴ４９において、ＯＳ−Ｂ２１は性能情報保管部１１５から性能情報を取り出し、通信処理部１１１を使用して性能情報を送信する。ステップＳＴ５０において、上位ＯＳ１０の性能情報収集部１０２は受信した性能情報を性能情報保管部１０３に格納する。
以上のように、この実施の形態４によれば、伝送装置３０が、所定の周期でＯＳ−Ａ２０からの性能情報の取得要求を受信しないときは、ＯＳ−Ａ２０の負荷が高いか、ＯＳ−Ａ２０が故障中であると判断し、予備ＯＳであるＯＳ−Ｂ２１に、ＯＳ−Ａ２０からの性能情報の取得要求がないことを通知することにより、実施の形態１と同様の効果が得られると共に、さらに、ＯＳ−Ａ２０又はＯＳ−Ｂ２１の故障時にも、上位ＯＳ１０は性能情報を収集できるので、障害時の対策も行えるという効果が得られる。
実施の形態５．
第９図はこの発明の実施の形態５によるオペレーションズシステム、上位オペレーションズシステム及び伝送装置の構成を示すブロック図であり、実施の形態４の第７図における伝送装置３０，３１，３２に、収容するディスクのディスク容量を監視するディスク容量監視部１３５を追加したものである。
次に動作について説明する。
伝送装置３０，３１，３２が収容するディスクのディスク容量が減るということは、ＯＳ−Ａ２０又はＯＳ−Ｂ２１から性能情報が収集されずに、伝送装置３０，３１，３２上に溜まっているということになる。実施の形態４では、読み出し監視部１３４により、ＯＳ−Ａ２０又はＯＳ−Ｂ２１からの性能情報の取得要求を監視していたが、この実施の形態では、読み出し監視部１３４と併用又は置き換えとして、ディスク容量監視部１３５により、ディス容量が少なくなったことを検知し、予備ＯＳに、性能情報の取得要求がないことを通知する。
以上のように、この実施の形態５によれば、実施の形態４と同様な効果が得られる。
産業上の利用可能性
以上のように、この発明に係るオペレーションズシステム、上位オペレーションズシステム及び伝送装置は、伝送装置からの性能情報を収集しているオペレーションズシステムの負荷が高い場合に、他のオペレーションズシステムに分散処理させるものに適している。
【図面の簡単な説明】
第１図は従来のオペレーションズシステム、上位オペレーションズシステム及び伝送装置の構成を示すブロック図である。
第２図は従来のオペレーションズシステム、上位オペレーションズシステム及び伝送装置の処理を示すシーケンス図である。
第３図はこの発明の実施の形態１によるオペレーションズシステム、上位オペレーションズシステム及び伝送装置の構成を示すブロック図である。
第４図はこの発明の実施の形態１によるオペレーションズシステム、上位オペレーションズシステム及び伝送装置の処理を示すシーケンス図である。
第５図はこの発明の実施の形態２によるオペレーションズシステム、上位オペレーションズシステム及び伝送装置の構成を示すブロック図である。
第６図はこの発明の実施の形態３によるオペレーションズシステム、上位オペレーションズシステム及び伝送装置の構成を示すブロック図である。
第７図はこの発明の実施の形態４によるオペレーションズシステム、上位オペレーションズシステム及び伝送装置の構成を示すブロック図である。
第８図はこの発明の実施の形態４によるオペレーションズシステム、上位オペレーションズシステム及び伝送装置の処理を示すシーケンス図である。
第９図はこの発明の実施の形態５によるオペレーションズシステム、上位オペレーションズシステム及び伝送装置の構成を示すブロック図である。
【図１】
2002061584.tif 000003
【図２】
2002061584.tif 000004
【図３】
2002061584.tif 000005
【図４】
2002061584.tif 000006
【図５】
2002061584.tif 000007
【図６】
2002061584.tif 000008
【図７】
2002061584.tif 000009
【図８】
2002061584.tif 000010
【図９】
2002061584.tif 000011
【国際調査報告】
2002061584.tif 000012
2002061584.tif 000013
2002061584.tif 000014
2002061584.tif 000015